(57)【特許請求の範囲】
【請求項１】
調理台の上面開口部を介して前記調理台に落とし込まれるケースと、
前記ケース内に収容された誘導加熱コイルと、
前記ケース内に収容された冷却ファン装置と、
前記ケースに設けられ前記冷却ファン装置の送風作用により前記ケース内に空気を吸入するための吸気口と、
前記ケースの上面部に設けられた天板部と、
前記天板部に設けられ前記誘導加熱コイルの上方部に位置する鍋載置部と、
前記天板部のうち前記鍋載置部以外の部分であって前記ケース後部のコーナー部に対応する部分に設けられ、前記ケース内の空気を排出する排気口部を備え、
前記排気口部は、天板部の後端部を上方に凸となるように折曲加工することにより構成され、前記排気口部の前面部は後方に向かって上方に傾斜していると共に前記排気口部の後面部に開口部を有することを特徴とする組み込み式加熱調理器。
【請求項２】
排気口部は、天板部のうちケース後部の左右のコーナー部にそれぞれ対応する部分に設けられた左右排気口部から構成されていることを特徴とする請求項１記載の組み込み式加熱調理器。
【請求項３】
排気口部は、天板部のうちケース後部の左右のコーナー部に対応する部分及びこれらをつなぐ部分から構成されていることを特徴とする請求項１記載の組み込み式加熱調理器。
【請求項４】
調理台の上面開口部を介して前記調理台に落とし込まれるケースと、
前記ケース内に収容され、前記ケースの後壁部に沿って並べられた複数の誘導加熱コイルと、
前記ケース内に収容された冷却ファン装置と、
前記ケースに設けられ前記冷却ファン装置の送風作用により前記ケース内に空気を吸入するための吸気口と、
前記ケースの上面部に設けられた天板部と、
前記天板部に設けられ、前記複数の誘導加熱コイルそれぞれの上方部に位置する複数の鍋載置部と、
前記複数の鍋載置部のうち隣接する２個の鍋載置部の間に位置するように前記天板部に設けられ、前記ケース内の空気を排出する排気口部を備え、
前記排気口部は、天板部の後端部を上方に凸となるように折曲加工することにより構成され、前記排気口部の前面部は後方に向かって上方に傾斜していると共に前記排気口部の後面部に開口部を有することを特徴とする組み込み式加熱調理器。
【請求項５】
ケース内に収容され、誘導加熱コイルの駆動を制御するインバータ回路及び放熱部材を有する回路基板を備え、
排気口部と吸気口との間に前記放熱部材が位置するように前記回路基板を配置したことを特徴とする請求項１ないし４のいずれかに記載の組み込み式加熱調理器。
【請求項６】
排気口部の内部には、天板部の下面部から下方に向かって延び、ケース内への水の浸入を防ぐための防護壁が設けられていることを特徴とする請求項５記載の組み込み式加熱調理器。
【請求項７】
排気口部の内部には、ケースの後壁部から上方に向かって延び、ケース内への水の浸入を防ぐための防護壁が設けられていることを特徴とする請求項５または６記載の組み込み式加熱調理器。
【請求項８】
ケースの後壁部のうち防護壁よりも後部に位置する部分に水抜き孔を設けたことを特徴とする請求項７記載の組み込み式加熱調理器。
【請求項９】
防護壁は、少なくとも排気口部の開口部の幅方向いっぱいに延びるように構成されていることを特徴とする請求項６ないし８のいずれかに記載の組み込み式加熱調理器。
【発明の詳細な説明】
【０００１】
【発明の属する技術分野】
本発明は、システムキッチン等の調理台に組み込まれて使用される組み込み式加熱調理器に関する。
【０００２】
【発明が解決しようとする課題】
この種の誘導加熱調理器の従来構成を図１３に示す。この図１３において、誘導加熱調理器１は、キッチンの調理台２の上面開口部を介して前記調理台２の内部に落し込まれる調理器本体３と、この調理器本体３の上面部に配設される図示しない天板部とから構成されている。前記調理器本体３は、ケース４の内部に誘導加熱コイル、インバータ回路等の電子部品を搭載した回路基板、冷却ファン（いずれも図示せず）等が収容されて構成されている。
【０００３】
前記ケース４の底部及び後壁部には、それぞれ吸気口５及び排気口６が設けられている。上記加熱調理器１においては、前記冷却ファンが駆動されると、その送風作用により調理台２内部の空気が吸気口５からケース４内に吸入され、ケース４内の各部品を冷却した後、排気口６から調理台２内部へ排出される。
【０００４】
ところが、上記加熱調理器１のように、調理台２の内部で吸排気が行われる構成であると、排気口６から排出された比較的高温の空気がそのまま吸気口５から吸入されてしまう所謂ショートサーキットが発生する。そこで、このようなショートサーキットの発生を防止するために、加熱調理器１を調理台２に組み込む際には、吸気と排気とを分離するための仕切り板７及び底板８を設けなければならなかった。特に、前記仕切り板７や底板８が精度良く設置されていないと、吸排気が確実に分離されず冷却性能が低下するため、仕切り板７や底板８の設置作業には注意を要し、作業が面倒であった。
【０００５】
このような問題を解決するものとして、特開平１１−３５４２６３号に記載された組み込み式加熱調理器がある。上記加熱調理器においては、調理台よりも上方に位置する部分である天板部の上面や側壁に排出口が設けられている。従って、上記加熱調理器は、調理器本体を調理台に組み込む際に、吸排気を分離するための仕切り板や底板の設置作業が不要となる。また、調理台には、空気取り込み口を形成するだけで良く、空気排出口の形成は不要となる。
【０００６】
ところが、天板部の上面部に排気口を設けると、その分、調理器本体の前後方向寸法が大きくなる。このように調理器本体が前後方向に大きくなると、設置可能な調理台の大きさが限定され、例えばミニキッチンの調理台には設置できないという問題が生じる。
【０００７】
また、天板部の側壁部に排気口を設けた場合には、天板部の厚み寸法が大きくなるため、調理台の上面部と加熱調理器との間に大きな段差が生じる。このため、調理容器を誤って天板部から流し台にずらしてしまうと、調理容器が大きく傾いて内容物がこぼれるおそれがある。
【０００８】
そこで、本発明の目的は、天板部に排気口を設けた場合であっても、前後方向寸法や調理台よりも上方に突出する寸法を極力小さく抑えることができる組み込み式加熱調理器を提供するにある。
【０００９】
【課題を解決するための手段】
本発明の請求項１の組み込み式加熱調理器は、調理台の上面開口部を介して前記調理台の内部に落とし込まれるケースと、このケース内に収容された誘導加熱コイル及び冷却ファン装置と、前記ケースに設けられ前記冷却ファン装置の送風作用により前記ケース内に空気を吸入するための吸気口と、前記ケースの上面部に設けられた天板部と、前記天板部に設けられ前記誘導加熱コイルの上方に位置する鍋載置部とを備え、前記天板部のうち前記鍋載置部以外の部分であって前記ケース後部のコーナー部に対応する部位に前記ケース内の空気を排出する排気口部を設け、前記排気口部は、天板部の後端部を上方に凸となるように折曲加工することにより構成され、前記排気口部の前面部は後方に向かって上方に傾斜していると共に前記排気口部の後面部に開口部を有することを特徴とする。
【００１０】
上記構成によれば、天板部に排気口部を設けたので、排気口部は調理台の上面部よりも上方に位置する。このため、前記ケースを調理台の内部に落し込む際に、吸気と排気を分離するための面倒な作業が不要となり、設置作業の効率化を図ることができる。しかも、前記排気口部を、天板部のうち前記ケース内のデッドスペースである後部のコーナー部に対応する部位に設けたので、排気口部を天板部に設けた場合であっても、ケースの奥行き寸法が大形化することを極力防止することができる。また、天板部のうち排気口部以外の部分においては、調理台の上面部よりも大きく突出することがなくなるため、例えば鍋載置部に載置された鍋が調理台の方にずり動いても鍋が大きく傾いて内容物がこぼれることがない。
【００１１】
この場合、前記排気口部を、前記天板部のうち前記ケース後部の左右のコーナー部に対応する部分に設けられた左右排気口部から構成すると良い（請求項２の発明）。上記構成によれば、排気口部が大きくなるため、排気効率が向上し、その分、冷却性能が向上する。
【００１２】
また、前記排気口部は、前記天板部のうち前記ケース後部の左右のコーナー部に対応する部分及びこれらつなぐ部分から構成することも良い構成である（請求項３の発明）。上記構成によれば、ケースの後端部の略全体に対応して排気口部が設けられることになるため、排気口部を一層大きくすることができる。従って、排気効率が一層向上するため、冷却性能の一層の向上を図ることができる。
【００１３】
また、本発明の請求項４の組み込み式加熱調理器は、調理台の上面開口部を介して前記調理台の内部に落とし込まれるケースと、このケース内に収容され前記ケースの後壁部に沿って並べられた複数の誘導加熱コイルと、前記ケース内に収容された冷却ファン装置と、前記ケースに設けられ前記冷却ファン装置の送風作用により前記ケース内に空気を吸入するための吸気口と、前記ケースの上面部に設けられた天板部と、前記天板部に設けられ前記複数の誘導加熱コイルそれぞれの上方に位置する複数の鍋載置部と、前記複数の鍋載置部のうち隣接する２個の鍋載置部の間に位置するように前記天板部に設けられ、前記ケース内の空気を排出する排気口部とを備え、前記排気口部は、天板部の後端部を上方に凸となるように折曲加工することにより構成され、前記排気口部の前面部は後方に向かって上方に傾斜していると共に前記排気口部の後面部に開口部を有することを特徴とする。
【００１４】
上記構成によれば、天板部に排気口部を設けたので、排気口部は調理台の上面部よりも上方に位置する。このため、前記ケースを調理台の内部に落し込む際に、吸気と排気を分離するための面倒な作業が不要となり、設置作業の効率化を図ることができる。しかも、前記排気口部を、天板部の隣接する鍋載置部の間に設けたので、排気口部を天板部に設けた場合であっても、ケース内のデッドスペースを利用することができ、ケースが前後方向に大形化することを極力防止することができる。また、天板部のうち排気口部以外の部分においては、調理台の上面部よりも大きく突出することがなくなるため、例えば鍋載置部に載置された鍋が調理台の方にずり動いても鍋が大きく傾いて内容物がこぼれることがない。
【００１５】
そして、上記請求項１ないし４のいずれかに記載の組み込み式加熱調理器において、誘導加熱コイルの駆動を制御するインバータ回路及び放熱部材を有する回路基板を備える場合には、前記排気口部と前記吸気口との間に前記放熱部材が位置するように前記回路基板を配置することが好ましい（請求項５の発明）。
【００１６】
上記構成によれば、ケース内のうち吸気口から排気口部までの空気の流通経路に放熱部材が位置するため、前記放熱部材から効率良く熱を奪うことができ、冷却性能が向上する。
【００１８】
ところで、排気口部の後面部に開口部を設けると、調理台のうち排気口部の後方に位置する部分に水をこぼしてしまった場合にその水が開口部からケース内に浸入するおそれがある。そこで、排気口部の内部に、ケース内への水の浸入を防ぐための防護壁を設けることが好ましい。この場合、前記防護壁は、天板部の下面部から下方に向かって延びるように構成したり（請求項６の発明）、ケースの後壁部から上方に向かって延びるように構成することができる（請求項７の発明）。上記構成によれば、ケース内に水が浸入してケース内の各種部品が故障することを防止することができるので、信頼性が向上する。
【００１９】
また、排気口部の内部に防護壁を設けた場合には、ケースの後壁部のうち防護壁よりも後部に位置する部分に水抜き孔を設けると良い（請求項８の発明）。上記構成によれば、前記防護壁によりせき止められた水をケースの外に排出することができる。このため、防護壁にせき止められた水がいつまでも排気口部の内部にとどまったり、防護壁を乗り越えてケース内に浸入することを防止でき、信頼性の一層の向上を図ることができる。
【００２０】
更に、前記防護壁は、少なくとも排気口部の開口部の幅方向いっぱいに延びるように構成することが好ましい（請求項９の発明）。上記構成によれば、排気口部の開口部からケース内に水が浸入することを確実に防止できる。
【００２１】
【発明の実施の形態】
（１）まず、本発明を１個の誘導加熱コイルを備えた所謂１口タイプの組み込み式加熱調理器に適用した実施例について説明する。
【００２２】
まず、図１ないし図３は本発明の第１の実施例（請求項１、３、６〜８、１０に対応）を示すものであり、図１は組み込み式加熱調理器の外観を示す図、図２は前記組み込み式加熱調理器を調理台に組み込んだ様子を示す斜視図、図３は前記組み込み式加熱調理器を調理台に組み込んだ様子を示す縦断側面図を示している。
【００２３】
まず、図２及び図３において、組み込み式加熱調理器１１は、調理台１２の上面開口部１２ａから前記調理台１２内に落とし込まれる調理器本体１３と、この調理器本体１３の上面に配設された天板部１４とから構成されている。前記天板部１４は、結晶化ガラスからなる円板状のプレート１５と、このプレート１５を保持するアルミニウム製の枠部１６とから構成されている。前記プレート１５は、鍋載置部を構成するものである。
【００２４】
前記枠部１６は、厚み寸法が３ｍｍ程度の板状部材から構成され、その略中央部には前記プレート１５が配設される円形状の開口１６ａが設けられている。また、前記枠部１６の後端部は、上方に凸となるように折曲加工することにより排気口部１７が形成されている。前記枠部１６は、その周辺部のうち前記排気口部１７を除く部分が前記調理台１２の上面部に載置されている。従って、前記枠部１６の厚み寸法だけ、前記加熱調理器１１の天板部１４は調理台１２よりも上方に位置している。
【００２５】
一方、前記調理器本体１３は、略矩形箱状をなすケース１８内に誘導加熱コイルユニット１９、回路基板２０、冷却ファン装置２１等が収容されて構成されている。前記枠部１６は、例えば接着により前記ケース１８に固定されている。従って、前記調理器本体１３は、前記枠部１６に保持された状態で、前記調理台１２の内部に落とし込まれている。
【００２６】
前記誘導加熱コイルユニット１９は、前記ケース１８内のうち前記プレート１５の下部に配置されている。前記コイルユニット１９は、耐熱絶縁材、例えばプリミックスからなるコイルベース２２と、このコイルベース２２上に配設された誘導加熱コイル２３とから構成されている。
【００２７】
前記冷却ファン２０は、前記ケース１８内の左前部に配置されており、ファンモータ２４及びこのファンモータ２４の回転軸２４ａに固定されたファン２５から構成されている。前記ファンモータ２４は、図示しない取付板を介して前記ケース１８に固定されている。前記ファン２５に対応して、前記ケース１８の前壁部１８ａの左半部には吸気口２６が形成されている。
【００２８】
前記回路基板２０は、前記ケース１８内のうち前記コイルユニット１９の下方部であって前記冷却ファン装置２１の後方部に配設されている。前記回路基板２０には、前記誘導加熱コイル２３を制御するインバータ回路やその他の電子部品（いずれも図示せず）が搭載されていると共に、多数の放熱フィンからなる放熱部材２７が固定されている。
【００２９】
さて、前記排気口部１７について、図１を参照しながら説明する。図１は、加熱調理器１１の外観を示しており、（ａ）は背面図、（ｂ）は平面図、（ｃ）は正面図を示している。尚、図１においては、いずれも加熱調理器１１の右部が上部に、左部が下部に位置している。するようにこれらの図に示すように、前記排気口部１７は、前記枠部１６の後端部のうち前記ケース１８の右壁部１８ｂと左壁部１８ｃとの間に位置する部分が前記調理台１２の上面から離間するように構成されている。即ち、前記排気口部１７は、前記左右壁部１８ｂ，１８ｃに対応する左右の傾斜部２８，２９、前部の傾斜部３０、これら傾斜部２８〜３０の上端部に連なる平坦面部３１から構成されている。以上の構成により、前記排気口部１７は、その後面部に開口部１７ａ（図１の（ａ）にのみ示す）を有している。
【００３０】
このとき、前部の傾斜部３０のうち左右両側に位置する部分は、前記ケース１８の左右のコーナー部に位置するように構成されており、残りの中央部は前記プレート１５の後部の外周に沿って延びる円弧状をなしている。これにより、前記排気口部１７の最前端部（左右両側部分の前端部）は、前記プレート１５の最後端部よりも前方に位置するように構成されている。
【００３１】
また、図３に示すように、前記排気口部１７の前部の傾斜部３０との間に所定の空間が形成されるように、前記ケース１８の後壁部１８ｄの上半部には傾斜面部３２が設けられている。そして、前記傾斜面部３２の上端部には、前記調理台１２の上面部に載置されるフランジ部３３が設けられている。前記平坦面部３１は、前記フランジ部３３の上方に位置しており、従って、前記平坦面部３１と前記フランジ部３３との間にも空間が形成される。
【００３２】
また、図１の（ａ）及び図３に示すように、前記平坦面部３１の後端部には、下方に延びる３本の柱３４が設けられている。前記柱３４の下端部は、前記フランジ部３３に当接している。更に、前記平坦面部３１の下面部には、下方に延びる２個の防護壁３５が前後に平行に並んで設けられている。前記防護壁３５の下端部は、それぞれ、前記フランジ部３３から離間している。
【００３３】
更にまた、前記フランジ部３３のうち前記２個の防護壁３５の中間に位置する部位には、上方に向かって延びる防護壁３６が設けられている。前記防護壁３６の上端部は、前記平坦面部３１から離間している。前記防護壁３５，３６は、いずれも、前記排気口部１７内の左右方向いっぱいに延びるように設けられている。
【００３４】
なお、詳しい図示は省略するが、前記枠部１６の右前部には、前記コイルユニット１９のオン、オフキーや火力調整キー、火力表示部等を備えた操作パネル３７が設けられている。
【００３５】
さて、上記構成においては、前記誘導加熱コイル２３の使用時にはファンモータ２４が通電されてファン２５が回転される。すると、前記ファン２５の送風作用により、矢印Ａで示すように、外部の空気が吸気口２６からケース１８内に吸入される。ケース１８内に吸入された空気は、矢印Ｂで示すように回路基板２０の放熱部材２７から熱を奪いながら後方に向かって進み、矢印Ｃで示すように傾斜部２０と傾斜面部３２との間の空間及び平坦面部３１とフランジ部３３との間の空間を通って開口部１７ａから外部に排出される。
【００３６】
このように、本実施例によれば、枠部１６に排気口部１７を設け、排気口部１７を調理台１２の上面部よりも上方に位置するように構成したので、前記調理器本体１３を調理台１２の内部に組み込む際に、吸気と排気とを分離するための仕切り板や底板を設ける必要がなく、組み込み式加熱調理器１１の設置作業の効率化を図ることができる。
【００３７】
また、前記枠部１６のうち前記ケース１８後部の左右のコーナー部に対応する部分及びこれらつなぐ部分から前記排気口部１７を構成した。即ち、前記ケース１８内のデッドスペースであるケース１８後部の左右のコーナー部を利用して排気口部１７を形成した。従って、枠部１６に排気口部１７を設けた場合であっても、ケース１８の前後方向寸法が大きくなることを極力防止できる。しかも、前記ケース１８の後端部の略全体に対応して大きな排気口部１７を設けることができる。このため、ケース１８内の空気を効率良く排出することができ、ケース１８内の各部品を効率良く冷却することができる。
【００３８】
また、枠部１６の後端部のみを上方に凸となるように折曲加工して、この部分を排気口部１７としたため、枠部１６のうち前記排気口部１７以外の部分は、前記枠部１６の厚み寸法分だけ調理台１２の上面部から突出することになる。このため、枠部１６の大部分において、調理台１２の上面部との間の段差を小さくすることができる。特に、プレート１５の左右に位置する枠部１６における調理台１２の上面部との間の段差が小さくなるので、例えば前記プレート１５に載置した鍋を左右にずらしても、鍋が大きく傾いて内容物がこぼれてしまうという不具合が生じることがない。
【００３９】
更に、本実施例においては、排気口部１７の内部に前記開口部１７ａの幅いっぱいに延びる防護壁３５，３６を設けた。このため、調理台１２の上面部のうち調理器１１の後部に水をこぼしてしまった場合でも、その水が開口部１７ａからケース１８内に浸入することを極力防止できる。
【００４０】
図４及び図５は本発明の第２の実施例（請求項２に対応）を示すものであり、第１の実施例と異なるところを説明する。なお、第１の実施例と同一部分には同一符号を付している。即ち、この第２の実施例では、前記排気口部１７に代えて左排気口部４１及び右排気口部４２を設けた。前記左排気口部４１は、前記枠部１６のうち前記ケース１８後部の左のコーナー部に対応する部分から後方にかけて設けられている。前記右排気口部４２は、前記枠部１６のうち前記ケース１８後部の右のコーナー部に対応する部分から後方にかけて設けられている。
【００４１】
前記左右排気口部４１，４２は、前記排気口部１８と同様に、枠部１６を上方に凸となるように折曲加工することにより形成されており、それぞれ後面部に開口部４１ａ，４２ａを有している。また、前記左右排気口部４１，４２の前端部は、前記排気口部１８の最前端部と略同じ位置に設けられている。
【００４２】
本実施例では、排気口部を左右排気口部４１，４２から構成したため、開口部４１ａ，４２ａの開口総面積が、第１の実施例における排気口部１７の開口部１７ａよりも小さくなる。このため、排気効率が若干劣るが、次のような効果が得られる。なお、本実施例の排気口部４１，４２の方が第１の実施例の排気口部１７に比べて排気効率は劣るが、ケース１８内部の各部品を冷却するために十分な開口面積を有している。
【００４３】
即ち、上記第１の実施例では、排気口部１７を、前記ケース１８の左右のコーナー部に対応する部分とそれらをつなぐ部分とから構成した。このため、前記排気口部１７の前部の傾斜部３０のうち前記プレート１５の最後端部よりも後方に位置する部分との間に所定の空間が形成されるように、前記ケース１８の後壁部１８ｄの上半部に傾斜面３２を設ける必要がある。このため、前記ケース１８の前後方向寸法が、前記傾斜面３２の分だけ長くなる。
【００４４】
これに対して、本実施例においては、図５に示すようにケース１８の後壁部１８ｄの上半部に傾斜面を設けなくても、前記左右排気口部４１，４２の前部の傾斜部との間に十分な大きさの空間を形成することができる。このため、ケース１８の前後方向寸法を小さくすることができる。
【００４５】
尚、本実施例においては、左右排気口部４１，４２の内部に位置するように前記ケース１８のフランジ部３３に防護壁４３を設けている。前記防護壁４３は、前記排気口部４１，４２の開口部４１ａ，４２ａの幅方向いっぱいに延びるように構成されている。従って、本実施例においても、上記防護壁４３により開口部４１ａ，４２ａからケース１８内に水が浸入することを防止できる。
【００４６】
図６及び図７は本発明の第３の実施例を示すものであり、第２の実施例と異なるところを説明する。即ち、本実施例においては、ケース１８の後壁部１８ｄを階段状に設けられた上部後壁部５１及び下部後壁部５２から構成している。
【００４７】
また、前記上部後壁部５１と下部後壁部５２との境界に、上方に延びる防護壁５３を設けると共に、前記ケース１８の底部のうち前記下部後壁部５２よりもやや前方部に上方に延びる防護壁５４を設けている。図７に示すように、前記防護壁５３、５４は、コ字状をなしており、前記排気口部４３の幅寸法よりも大きな幅寸法を有している（尚、図７には、右排気口部４２の周辺部分のみを示しているが、左排気口部４１についても同様である）。
【００４８】
更に、図６に示すように、前記上部後壁部５１の底部及び前記ケース１８の底部には、それぞれ防護壁５３，５４のすぐ後部に水抜き孔５５，５６が形成されている。上記構成により、前記防護壁５３，５４によってケース１８内への浸入が阻止された水をすぐにケース１８の外部へ排出することができる。従って、排気口部４１，４２の内部に浸入した水が防護壁５３，５４を越えてケース１８内へ浸入することを確実に防止することができ、信頼性が一層向上する。
【００４９】
更にまた、前記排気口部４２の内部には、前記防護壁４３よりもやや後方に位置して防護壁５７が設けられていると共に、前記防護壁５４よりもやや後方に位置して防護壁５８設けられている。前記防護壁５６，５７は、いずれも下方に向かって延びている。
【００５０】
このように、本実施例においては、上方に延びる防護壁４３，５３，５４と下方に延びる防護壁５７，５８とを位置をずらして配置したため、ケース１８内への水の浸入を確実に阻止することができる。
【００５１】
図８は本発明の第４の実施例を示すものであり、第２の実施例と異なるところを説明する。尚、図８では、加熱調理器１１の左右部が図面の左右部と一致するように図示している。即ち、この第４の実施例では、左右排気口部４１，４２に代えて左右排気口部６１，６２を設けた。前記左右排気口部６１，６２は、それぞれ前記枠部１６のうち前記ケース１８後部の左右のコーナー部に対応する部分に設けられており、上面部に開口部６１ａ，６２ａが設けられている。前記開口部６１ａ，６２ａには、それぞれルーバー６３が設けられており、排気口部６１，６２内への水の浸入を防止している。
【００５２】
前記排気口部６１，６２は、枠部１６の前記排気口部６１，６２以外の部分と面一に構成されている。従って、本実施例においては、枠部１６全体の厚み寸法を小さくすることができる。
【００５３】
（２）次に、本発明を複数の誘導加熱コイルを備えた組み込み式加熱調理器に適用した実施例について説明する。
【００５４】
まず、図９は本発明を２口タイプの組み込み式加熱調理器に適用した第５の実施例を示すものである。この図９において、天板部１４は、左右に並んで設けられた２個のプレート７１，７２と、これらのプレート７１，７２を保持する枠部１６とから構成されている。尚、図示しないが、ケース１８内には、前記プレート７１，７２の下部にそれぞれ位置するように２個の誘導加熱コイルが収容されている。
【００５５】
また、本実施例においては、前記枠部１６のうち前記プレート７１及び７２の間に排気口部７３が設けられている。前記排気口部７３は、第１の実施例で示した前記排気口部１７と同様に、前記枠部１６を上方に凸となるように折曲加工することにより構成されており、その後面部に開口部（図示せず）を有している。
【００５６】
このような構成によれば、前記枠部１６のうち前記プレート７１及び７２の間に排気口部７３を設けたので、デッドスペースを有効利用することができる。このため、枠部１６に排気口部７３を設けても、加熱調理器１１が大形化することを極力防止できる。
【００５７】
尚、上記構成においては、前記誘導加熱コイルをそれぞれ制御するインバータ回路を一つの回路基板にまとめて搭載すると共に、前記回路基板、冷却ファン装置、吸気口を次のように配設することが好ましい。即ち、前記回路基板をケース１８内の中央部分に、吸気口をケース１８の前壁部１８ａの中央部分に、冷却ファン装置を前記回路基板と吸気口との間に配設する。上記構成によれば、吸気口からケース１８内に吸入された空気が排気口部７３から排出されるまでの流通経路に回路基板が位置するため、放熱部材から効率良く熱を奪うことができ、冷却性能が向上する。
【００５８】
図１０は本発明の第６の実施例を示すものであり、第５の実施例と異なるところを説明する。この実施例においては、前記枠部１６のうち左側のプレート７１の後方部に排気口部８１が設けられている。前記排気口部８１の左端部は、前記ケース１８内の左後部のコーナー部に対応する部分に設けられおり、右端部は、プレート７１とプレート７２との間に設けられている。
【００５９】
即ち、２口タイプの加熱調理器の場合は、上述した位置に排気口部８１を設けても良い。そして、前記排気口部８１を枠部１６の左側に寄せて設けた場合には、回路基板、冷却ファン装置、吸気口も左側に寄せて配設することが好ましい。このような構成においても、第５の実施例と同様の作用、効果が得られる。
【００６０】
次に、図１１は本発明を３口タイプの組み込み式加熱調理器に適用した第７の実施例を示すものである。即ち、本実施例にかかる加熱調理器１１は、天板部１４は、例えば三角形の各頂点に位置するように配設されたプレート９１〜９３及びこれらのプレート９１〜９３を保持する枠部１６から構成されている。尚、図示しないが、ケース１８内には、前記プレート９１〜９３の下部にそれぞれ位置するように３個の誘導加熱コイルが収容されている。
【００６１】
このように３個の誘導加熱コイルを配置すると、ケース１８内の後部の左右のコーナー部にデッドスペースが発生する。そこで、本実施例では、前記枠部１６のうちケース１８内の後部の左右のコーナー部に対応する部位にそれぞれ排気口部９４，９５を設けた。
【００６２】
従って、本実施例によれば、デッドスペースを有効に利用して排気口部９４，９５を設けることができる。尚、前記排気口部９４，９５は、第１の実施例で示した前記排気口部１７と同様に、前記枠部１６を上方に凸となるように折曲加工することにより構成されており、その後面部に開口部（図示せず）を有している。
【００６３】
尚、本実施例は上記した実施例に限定されるものではなく、例えば複数の誘導加熱コイルを備えた加熱調理器においても、排気口部の開口部を上面部に設けても良い等適宜の変更が可能である。
【００６４】
また、図１２に示す第８の実施例のように、天板部１４を、結晶化ガラスからなる矩形状のプレート１０１と、このプレート１０１を保持する矩形枠１０２から構成しても良い。この場合、前記プレート１０１には、誘導加熱コイルの上方に位置するようにマーク１０３が表示されている。従って、本実施例においては、前記プレート１０１のうち前記マーク１０３で区画された部分が鍋載置部を構成する。
【００６５】
そして、前記プレート１０１のうち、前記ケース１８の後部の左右のコーナー部に対応する部分にそれぞれ左右排気口部１０４，１０５が設けられている。前記排気口部１０４，１０５は、例えばアルミニウム製で、前記プレート１０１に設けられた開口部（図示せず）に嵌め込まれている。
従って、上記構成においても、第４の実施例と同様の作用、効果を得ることができる。
【００６６】
【発明の効果】
以上の説明から明らかなように、本発明の組み込み式加熱調理器においては、天板部のうち鍋載置部以外の部分であってケース後部のコーナー部に対応する部位に排気口を設け、前記排気口が調理台の上面部よりも上方に位置するように構成したので、前記ケースを調理台の内部に落し込む際に吸気と排気とを分離するための面倒な作業を不要とすることができ、設置作業の効率かを図ることができる。しかも、前記排気口部を、天板部のうち前記ケース内のデッドスペースである後部のコーナー部に対応する部位に設けたので、排気口部を天板部に設けた場合であっても、ケースの奥行き寸法が大形化することを極力防止することができるという優れた効果を奏する。
【図面の簡単な説明】
【図１】本発明の第１の実施例に係る組み込み式加熱調理器を示すもので、（ａ）は背面図、（ｂ）は平面図、（ｃ）は正面図
【図２】組み込み式加熱調理器を調理台に組み込んだ様子を示す斜視図
【図３】縦断側面図
【図４】本発明の第２の実施例を示す図１相当図
【図５】図４のＸ−Ｘ線に沿う縦断面図
【図６】本発明の第３の実施例を示す図５相当図
【図７】右排気口部の周辺部分を示す平面図
【図８】本発明の第４の実施例を示す図１（ａ）相当図
【図９】本発明の第５の実施例を示す図１（ａ）相当図
【図１０】本発明の第６の実施例を示す図１（ａ）相当図
【図１１】本発明の第７の実施例を示す図１（ａ）相当図
【図１２】本発明の第８の実施例を示す図１（ａ）相当図
【図１３】組み込み式加熱調理器の従来構成を説明するための図で、調理台に加熱調理器を組み込んだ様子を前記調理台の上面部を取り除いて示す斜視図
【符号の説明】
図中、１１は組み込み式加熱調理器、１２は調理台、１２ａは上面開口部、１４は天板部、１５，７１，７２，９１，９２，９３はプレート（鍋載置部）、１７，４１，４２，６１，６２，７３，８１，９４，９５，１０４，１０５は排気口部、１７ａは開口部、１８はケース、２０は回路基板、２１は冷却ファン装置、２３は誘導加熱コイル、２６は吸気口、２７は放熱部材、３５，３６，４３，５３，５４は防護壁、４１左排気口部、４２は右排気口部、５５，５６は水抜き孔を示す。
【図１】
0003829046.tif 000002
【図２】
0003829046.tif 000003
【図３】
0003829046.tif 000004
【図４】
0003829046.tif 000005
【図５】
0003829046.tif 000006
【図６】
0003829046.tif 000007
【図７】
0003829046.tif 000008
【図８】
0003829046.tif 000009
【図９】
0003829046.tif 000010
【図１０】
0003829046.tif 000011
【図１１】
0003829046.tif 000012
【図１２】
0003829046.tif 000013
【図１３】
0003829046.tif 000014